(57)【要約】【課題】床を通じた固体音の伝搬を効果的に抑制することができる、床の固体音伝搬抑制構造を提供する。【解決手段】第１床板２の面内に開口部３が設けられ、該開口部３に、第２床板４が、その側面部を第１床板２の開口部３を囲む側面部と対向させ、それらの側面部間に環状の隙間５を形成するよう設置され、該環状隙間５に粘弾性材６が介設され、該粘弾性材６によって第２床板４が水平二次元方向において支えられている。粘弾性体６は、環状隙間５の周方向に間隔をおくように介設されているとよい。第１床板２は、第２床板４の周囲を囲むように例えばトイレ室１内に面して備えられ、間仕切り壁１２で仕切られた隣室１３に延ばされているとよい。【選択図】      図１
2008095317.tif 000002
【特許請求の範囲】
【請求項１】
第１床板の面内に開口部が設けられ、該開口部に、第２床板が、その側面部を第１床板の開口部を囲む側面部と対向させ、それらの側面部間に環状の隙間を形成するよう設置され、該環状隙間に粘弾性材が介設され、該粘弾性材によって第２床板が水平二次元方向において支えられるようになされていることを特徴とする床の固体音伝搬抑制構造。
【請求項２】
前記粘弾性体が、環状隙間の周方向に間隔をおくようにして複数介設されている請求項１に記載の床の固体音伝搬抑制構造。
【請求項３】
前記第２床板は、第１床板を床下面上に支持する第１支持材とは別の第２支持材によって床下面上に支持されている請求項１又は２に記載の床の固体音伝搬抑制構造。
【請求項４】
前記第１床板が、第２床板の周囲を囲むように第１室内に面して備えられると共に、間仕切り壁で仕切られた隣りの第２室に延ばされている請求項１乃至３のいずれか一に記載の床の固体音伝搬抑制構造。
【請求項５】
内部を第１開口部とする環状枠が、第１床板の面内に設けられた第２開口部に、第１床板の一部を構成するように設置され、第１開口部に、第２床板が、その側面部を環状枠の第１開口部を囲む側面部と対向させ、それらの側面部間に環状の隙間を形成するよう設置され、該環状隙間に粘弾性材が介設され、該粘弾性材によって第２床板が水平二次元方向において支えられるようになされていることを特徴とする床の固体音伝搬抑制構造。
【請求項６】
前記第１床板が、環状枠の周囲を囲むように第１室内に面して備えられると共に、間仕切り壁で仕切られた隣りの第２室に延ばされている請求項５に記載の床の固体音伝搬抑制構造。
【発明の詳細な説明】
【技術分野】
【０００１】
本発明は、床の固体音伝搬抑制構造に関する。
【背景技術】
【０００２】
例えば、水洗の便器が設置されるトイレ室では、行為音や洗浄音が隣室に伝わらないように、壁や天井に遮音性や吸音性がもたされているが、トイレ室の床と隣室の床とは連続一体となっているため、トイレ室の床に伝えられた固体音が、該床を通じて隣室に伝えられてしまうという問題がある。
【特許文献１】特開２００２−２９４９８４号公報
【発明の開示】
【発明が解決しようとする課題】
【０００３】
本発明は、上記のような問題点に鑑み、床を通じた固体音の伝搬を効果的に抑制することができる、床の固体音伝搬抑制構造を提供することを課題とする。
【課題を解決するための手段】
【０００４】
上記の課題は、第１床板の面内に開口部が設けられ、該開口部に、第２床板が、その側面部を第１床板の開口部を囲む側面部と対向させ、それらの側面部間に環状の隙間を形成するよう設置され、該環状隙間に粘弾性材が介設され、該粘弾性材によって第２床板が水平二次元方向において支えられるようになされていることを特徴とする床の固体音伝搬抑制構造によって解決される（第１発明）。
【０００５】
この構造では、第１床板と第２床板との間に隙間が設けられて絶縁されているため、これら床板間での固体音の伝搬が効果的に抑制される。しかも、この隙間には粘弾性材が介設され、該粘弾性材によって第２床板が水平二次元方向において支えられるようになされているため、第２床板が水平二次元方向にがたついてしまうこともなく、それでいて、一方の床板側に伝えられた固体音は粘弾性材によって減衰されてもう一方の床板側に伝わるのが抑制され、床板間での固体音の伝搬の抑制効果も損なわれることはない。
【０００６】
第１発明において、粘弾性体が、環状隙間の周方向に間隔をおくようにして複数介設されているとよい（第２発明）。この場合は、粘弾性材を介した第１床板と第２床板との接触領域を少なくすることができて絶縁効果を高いものにすることができると共に、粘弾性材の使用量を少なくすることもできてコスト的な有利性を発揮することができる。
【０００７】
第１，第２発明において、第２床板は、第１床板を床下面上に支持する第１支持材とは別の第２支持材によって床下面上に支持されているとよい（第３発明）。この場合は、床板を床下面上に支持する支持材を通じて床板間に固体音の伝搬を生じるのを抑制することができる。
【０００８】
第１〜第３発明において、第１床板が、第２床板の周囲を囲むように第１室内に面して備えられると共に、間仕切り壁で仕切られた隣りの第２室に延ばされているとよい（第４発明）。この場合は、隣合う第１室と第２室の床を第１床板で連続させる構造でありながら、第１室と第２室との間の床板を通じた固体音の伝搬を抑制することができ、しかも、間仕切り壁と、第１床板の開口部と、第２床板の取り合い関係を施工容易なものにすることができる。
【０００９】
また、内部を第１開口部とする環状枠が、第１床板の面内に設けられた第２開口部に、第１床板の一部を構成するように設置され、第１開口部に、第２床板が、その側面部を環状枠の第１開口部を囲む側面部と対向させ、それらの側面部間に環状の隙間を形成するよう設置され、該環状隙間に粘弾性材が介設され、該粘弾性材によって第２床板が水平二次元方向において支えられるようになされていることを特徴とする床の固体音伝搬抑制構造によっても解決される（第５発明）。
【００１０】
この構造では特に、第１床板とは別体の環状枠の内部を、第２床板を設置する第１開口部としているので、環状枠と第２床板と粘弾性材を容易に精度高い取り合い関係にすることができて固体音伝搬抑制効果を高いものにでき、それでいて、第１床板に対する第２開口部の形成は、粘弾性材の介設を考慮した精度の高いものにする必要がなく、第１床板に対する第２開口部の形成を容易にすることができる。
【００１１】
第５発明において、第１床板が、環状枠の周囲を囲むように第１室内に面して備えられると共に、間仕切り壁で仕切られた隣りの第２室に延ばされているとよい（第６発明）。この場合は、第４発明で述べたのと同様に、隣合う第１室と第２室の床を第１床板で連続させる構造でありながら、第１室と第２室との間の床板を通じた固体音の伝搬を抑制することができ、しかも、間仕切り壁と、第１床板の第２開口部と、環状枠の取り合い関係を施工容易なものにすることができる。
【発明の効果】
【００１２】
本発明は、以上のとおりのものであるから、床を通じた固体音の伝搬を効果的に抑制することができる。
【発明を実施するための最良の形態】
【００１３】
次に、本発明の実施最良形態を図面に基づいて説明する。
【００１４】
図１及び図２に示す第１実施形態の床の固体音伝搬抑制構造は、トイレ室１を第１室とし、その床に適用した場合のもので、該床は、第１床板２の面内に開口部３が設けられ、該開口部３に、第２床板４が、その側面部を第１床板２の開口部３を囲む側面部と対向させ、それらの側面部間に環状の隙間５を形成するよう設置され、該環状隙間５に粘弾性材６が介設され、該粘弾性材６によって第２床板４が水平二次元方向において支えられるようになされている。具体的には、該粘弾性材６は、環状隙間５の周方向に間隔をおくように、同環状隙間５の四隅部のそれぞれにおいて平面視Ｌ形となるように介設されている。
【００１５】
なお、粘弾性材６は、１５度程度、ないしはそれを越えない低硬度のゲルやゴムなどからなっているとよく、隙間の寸法は例えば３ｍｍ程度である。
【００１６】
また、第２床板４は、第１床板２を床下のコンクリート土間面７上に支持する第１支持材として束８や大引９、根太１０等とは別の、第２支持材としての束１１によって床下土間面７上に支持されている。
【００１７】
そして、第１床板２は、第２床板４の周囲を囲むようにトイレ室１内に面して備えられ、間仕切り壁１２で仕切られた第２室としての隣室１３に延ばされており、第２床板４上には、音源となる便器１４が設置されている。
【００１８】
施工は、図２に示すように、第１床板２を現場に設置した後、便器１４の設置位置を考慮しながら、該第１床板２に開口部３を形成し、そして、第２支持材としての束１１を床下のコンクリート土間面７上に設置し、しかる後、側面部に両面テープで粘弾性材６…を接着した第２床板４を、束１１に支持させて開口部３に設置する。
【００１９】
その場合に、粘弾性材６…は、第１床板２の開口部３を囲む側面部に対して、圧縮状態となって接触したり、非接触状態となったりしないよう、しっくりと接触できるようになされているのがよい。また、粘弾性材６は、第１床板２の開口部３を囲む側面部に対して接着されていてもよいし、接着されることなく単に接触しているだけであってもよい。
【００２０】
上記構造では、第１床板２と第２床板４との間に隙間５が設けられて両床板２，４が絶縁されているため、これら床板２，４間での固体音の伝搬が効果的に抑制され、トイレ室１での行為音や洗浄音等の固体音が床板２，４を通じて隣室１３に伝わるのが効果的に抑制される。
【００２１】
しかも、この隙間５には粘弾性材６…が介設され、該粘弾性材６…によって第２床板４が水平二次元方向において支えられるようになされているので、第２床板４が水平二次元方向にがたついてしまうこともなく、それでいて、第２床板４に伝えられた固体音は粘弾性材６…によって減衰されて第１床板２に伝わるのが抑制され、床板２，４間での固体音の伝搬の抑制効果も損なわれることはない。
【００２２】
加えて、粘弾性材６…は、環状隙間５の周方向に間隔をおくようにして複数介設されているので、粘弾性材６を介した第１床板２と第２床板４との接触領域を少なくすることができ、絶縁効果を高いものにすることができて、固体音の伝搬を効果的に抑制することができ、また、粘弾性材６の使用量も少なくすることができてコスト的にも有利になる。
【００２３】
更に、第２床板４は、第１床板２を床下のコンクリート土間面７上に支持する支持材８，９，１０とは別の支持材１１によって床下コンクリート土間面７上に支持されているので、固体音がこれら支持材を通じて第２床板４から第１床板２に伝搬するのも抑制することができる。
【００２４】
また、第１床板２は、第２床板４の周囲を囲むようにトイレ室１内に面して備えられ、間仕切り壁１２で仕切られた隣室１３に延ばされた構造となっているので、トイレ室１と隣室１３とを第１床板２で連続させる構造でありながら、トイレ室１から隣室１３への床板を通じた固体音の伝搬を抑制することができ、それでいて、間仕切り壁１２と、第１床板２の開口部３と、第２床板４との取り合い関係を施工容易なものにすることができるし、リフォームにおいて上記のような構造を採用することも可能になる。
【００２５】
図３及び図４に示す第２実施形態の床の固体音伝搬抑制構造は、内部を第１開口部３とする、方形で、第１床板２と同じ材質の環状枠１５が、第１床板２の面内に設けられた第２開口部１６に、第１床板２の一部を構成するように、あいじゃくりで設置されてビス１７で止め付けられ、該環状枠１５の第１開口部３に、第２床板４が、その側面部を環状枠１５の第１開口部３を囲む側面部と対向させ、それらの側面部間に環状の隙間５を形成するよう設置され、該環状隙間５に同様の態様で粘弾性材６…が介設され、該粘弾性材６…によって第２床板４が水平二次元方向において支えられるようになされている。なお、第２床板４と環状枠１５との境界部は、あいじゃくりの突き合わせ状態のままにしておいてもよいし、カバーで隠すようにしてもよい。また、第１実施形態と同様に、第１床板２は、環状枠１５の周囲を囲むようにトイレ室１内に面して備えられると共に、間仕切り壁１２で仕切られた隣室１３に延ばされている。
【００２６】
この構造では特に、第１床板２とは別体の環状枠１５の内部を、第２床板を設置する第１開口部３としているので、環状枠１５と第２床板４と粘弾性材６…を容易に精度高い取り合い関係にすることができて固体音伝搬抑制効果を高いものにでき、それでいて、第１床板２に対する第２開口部１６の形成は、粘弾性材６…の介設を考慮した精度の高いものにする必要がなく、第１床板２に対する第２開口部１６の形成を容易にすることができる。
【００２７】
図５に示す第３実施形態の床の固体音伝搬抑制構造は、環状枠１５として、第１床板とは材質が異なる、例えば、樹脂や金属からなる環状枠１５を用いた場合のもので、該環状枠１５には、第１床板２の第２開口部１６の周囲の上面に重ねられるつば部１５ａが備えられており、第１床板２に形成した第２開口部１６がある程度雑なものであっても、それをつば部１５ａがカバーして、環状枠１５を第２開口部１６に設置するだけで、きれいな仕上がり状態を得ることができる。
【００２８】
以上に、本発明の実施形態を示したが、本発明はこれに限られるものではなく、発明思想を逸脱しない範囲で各種の変更が可能である。例えば、上記の実施形態では、第１室がトイレ室、第２室がその隣室である場合を示したが、第１室が洗濯機の設置される洗面脱衣室で、第２室がその隣室であってもよく、種々適用可能である。
【００２９】
また、上記の実施形態では、第２床板４の側に音源を設置した場合を示したが、第１床板２の側に音源が設置されていてもよく、その場合は、第１床板２から第２床板４への固体音の伝搬を同じく効果的に抑制することができる。
【図面の簡単な説明】
【００３０】
【図１】第１実施形態の床の固体音伝搬抑制構造を示すもので、図（イ）は断面正面図、図（ロ）は図（イ）のＩ−Ｉ線矢視図である。
【図２】図（イ）は施工方法の一例を示す断面正面図、図（ロ）及び図（ハ）は要部拡大正面図である。
【図３】第２実施形態の床の固体音伝搬抑制構造を示すもので、図（イ）は断面正面図、図（ロ）は図（イ）のＩＩ−ＩＩ線矢視図である。
【図４】図（イ）は施工方法の一例を示す断面正面図、図（ロ）及び図（ハ）は要部拡大正面図である。
【図５】第３実施形態の床の固体音伝搬抑制構造を示すもので、図（イ）は施工方法の一例を示す断面正面図、図（ロ）及び図（ハ）は要部拡大正面図である。
【符号の説明】
【００３１】
１…トイレ室（第１室）
２…第１床板
３…開口部（第１開口部）
４…第２床板
５…環状隙間
６…粘弾性材
７…コンクリート土間面（床下面）
８…束（第１支持材）
９…大引（第１支持材）
１０…根太（第１支持材）
１１…束（第２支持材）
１２…間仕切り壁
１３…隣室（第２室）
１４…便器（音源）
１５…環状枠
１６…第２開口部
【図１】
2008095317.tif 000003
【図２】
2008095317.tif 000004
【図３】
2008095317.tif 000005
【図４】
2008095317.tif 000006
【図５】
2008095317.tif 000007